(57)【特許請求の範囲】
【請求項１】
フライバックトランスの２次側に誘導される高電圧を陰極線管のアノードに供給する高圧回路部と、前記フライバックトランスの１次側電圧を電源電圧として使用して偏向電流を制御し、発生された前記偏向電流を東西信号で補正する水平出力部とを含むテレビジョン受信機において、
前記フライバックトランスの２次側高圧電流の変動分を検出するための検出手段と、
前記検出手段により検出された信号を前記東西信号に加算する加算手段とを含み、
前記検出手段は、前記アノードに供給される高圧電流の変動分を検出する検出部と、
前記検出された高圧変動信号を反転出力する反転増幅部と、
前記アノードに供給される高圧電流の直流分をバッファリングする入力バッファ部と、
前記入力バッファ部でバッファリングされた高圧信号の直流分と前記反転増幅部で反転された変動分を加算し、加算された信号の直流レベルを調整して前記加算手段に出力する出力レベル調整部と、
を備えることを特徴とする画面安定化回路。
【請求項２】
前記検出部は抵抗及びキャパシタの微分器から構成されることを特徴とする請求項１記載の画面安定化回路。
【発明の詳細な説明】
【０００１】
【発明の属する技術分野】
本発明はセミワイド画面テレビジョン受信機に係り、特に画面の明るさに応じる高圧変動によって部分的に水平振幅が広がって画面上の左右周辺部で縦線が曲がることを補正するための画面安定化回路に関する。
【０００２】
【従来の技術】
本出願人は先にセミワイド画面テレビジョンに関する発明を特許出願した。セミワイド画面テレビジョン受像機は既存の４：３画面の標準テレビジョン受像機に比べて画面サイズが１２．８：９に画面の横サイズが拡大したもので、横方向のオーバースキャン率を最小化させることにより、１２：９画面の放送局テレビジョン信号の水平情報を最大に表示しようとすることである。テレビジョン受像機の水平方向のオーバースキャン率を従来の９．３％から３．２％に大幅に減らすことによって画面のエッジ部位の信号安定化技術が要求されるようになった。
【０００３】
図５は一般的なテレビジョン受信機の回路構成を示す。映像信号処理部１０では輝度信号Ｙと色差信号Ｃを入力して輝度信号ＹとＲ、Ｇ、Ｂ信号を陰極線管（ＣＲＴ）駆動部１２に供給し、陰極線管駆動部１２では陰極線管１４を駆動して画面を表示する。また、映像信号処理部１０では水平同期信号ＨＤを出力して水平駆動部１６に供給し、水平駆動部１６では水平出力部１８を駆動して水平偏向コイルＤＣを介して画面上で水平走査を制御する。水平偏向力は映像信号処理部１０から供給される東西信号Ｅ／Ｗを東西信号増幅器２０によって増幅された東西補正信号により補正される。
【０００４】
また、高圧回路部２２ではフライバックトランスＦＢの２次側に誘導される高電圧ＨＶをダイオードＤを介して陰極線管１４のアノードに供給する。
このように構成されたテレビジョン受信機では図６に示すように、画面上で比較的広い範囲に明るい部分が続けば明るい部分の水平振幅が広くなって縦線が曲がる現象が表れる。これは明るい部分で電子ビームの直進性が弱化するためである。図７に示すように直進性が弱化すると相対的に偏向力が大きくなって電子ビームの軌跡はθだけ外側へ開く。従って、明るい部分での直進性を確保するためには高圧の低下に対応して偏向力を下げなければならない。
【０００５】
従来は図５に示したように高圧回路部２２の２次側の電圧信号を検出して得られたＡＢＬ(Auto Brightness Limit) 信号を映像信号処理部１０へ供給して映像信号処理部１０で上サイズを補償しているが、かかるＡＢＬ方式は時間的に遅延することによって速く対応し難く、１水平期間の補正は可能であるが１垂直期間の補正は困難であった。
【０００６】
既存の水平オーバースキャン率が９．３％の標準テレビジョン受像機では画面の明るさに応じて高圧が変動され画面のエッジ部位が潰れてもオーバースキャン率により画面上には表示されないが、水平オーバースキャン率が３．２％のセミワイド画面テレビジョン受像機では画面の明るさに応じて高圧変動時には左右エッジ部位の画面が潰れるように表示される場合全体的な画面品質が低下する虞があった。
【０００７】
【発明が解決しようとする課題】
本発明はこのような従来の技術の問題点を解決するために創出されたもので、その目的は画面の明るさに応じる高圧変動を検出して縦線が曲がることを防ぐことができる画面安定化回路を提供することにある。
【０００８】
【課題を解決するための手段】
前記目的を達成するための本発明のセミワイド画面テレビジョン受信機の画面安定化回路は、フライバックトランスの２次側に誘導される高電圧を陰極線管のアノードに供給する高圧回路部と、前記フライバックトランスの１次側電圧を電源電圧として使用して偏向電流を制御し、発生された前記偏向電流を東西信号で補正する水平出力部とを含むテレビジョン受信機において、前記フライバックトランスの２次側高圧電流の変動分を検出するための検出手段と、前記検出手段により検出された信号を前記東西信号に加算する加算手段とを含み、前記検出手段は、前記アノードに供給される高圧電流の変動分を検出する検出部と、前記検出された高圧変動信号を反転出力する反転増幅部と、前記アノードに供給される高圧電流の直流分をバッファリングする入力バッファ部と、前記入力バッファ部でバッファリングされた高圧信号の直流分と前記反転増幅部で反転された変動分を加算し、加算された信号の直流レベルを調整して前記加算手段に出力する出力レベル調整部と、を備えることを特徴とする。
【０００９】
【発明の実施の形態】
以下、添付した図面に基づき本発明の望ましい実施例をさらに詳しく説明する。図面全体を通じて同一の部分には同じ符号を付けてある。
図１は本発明によるセミワイド画面テレビジョン受信機の望ましい一実施例の回路構成を示す。
【００１０】
同図において、映像信号処理部３０では輝度信号Ｙと色差信号Ｃを入力して輝度信号ＹとＲ、Ｇ、Ｂ信号を陰極線管（ＣＲＴ）駆動部３２に供給し陰極線管駆動部３２では陰極線管３４を駆動して画面を表示する。また、映像信号処理部３０では水平同期信号ＨＤを出力して水平駆動部３６に供給し、これにより水平駆動部３６では水平出力部３８を駆動して水平偏向コイルＤＣを介して画面上で水平走査を制御する。水平偏向力は映像信号処理部３０から提供される東西信号Ｅ／Ｗを東西信号増幅器４０によって増幅された東西補正信号により補正される。また、高圧回路部４２ではフライバックトランスＦＢの２次側に誘導される高電圧ＨＶをダイオードＤを介して陰極線管１４のアノードに供給する。高圧回路部４２では高圧電流の変動分を検出して映像信号処理部３０にＡＢＬ信号を提供する。
【００１１】
なお、ＡＢＬ信号は画面安定化回路の検出手段４４に供給され、該検出手段４４では入力された信号を積分してこの積分された信号を加算手段４６に供給する。加算手段４６では東西信号Ｅ／Ｗと積分された信号を加算して東西信号増幅器４０に供給する。
従って、図２（ａ）に示したように、水平偏向電流はパラボラ波形の東西信号の振幅に対応してそのサイズが異なることによって東西補償が行われる。しかし、図示のように図６の明るい部分に対応する範囲では水平偏向電流が東西パラボラ波形以上に広がって（図２（ａ）における点線サイズ）画面上で左右エッジ部位の縦線が曲がる現象が表れる。
【００１２】
しかし、本発明では検出手段４４でＡＢＬ信号を積分して明るい部分に対応して偏向力を下げる方向に補償するように、図２（ｂ）に示した積分信号ａを出力する。加算手段４６でこの積分信号ａを東西信号Ｅ／Ｗに加算して水平偏向電流の東西補償信号ｂを水平出力部３８の水平偏向コイルＤＣに供給する。よって、画面の明るい部分に対応する高圧変動により水平振幅が広がることを抑制する方向に補償が行われるので、画面上で縦線が曲がる画面歪みが抑制できる。
【００１３】
図３は本発明によるセミワイド画面テレビジョン受像機の画面安定化回路の望ましい他の実施例の回路構成を示す。同図の他の実施例では前述した一実施例と同一の部分は同じ符号が付けてあり、その具体的な説明は省く。
他の実施例では検出手段５０が陰極線管３４のアノードに供給される高圧電流を検出して加算手段４６に供給した点が上述したような一実施例と相異している。
【００１４】
図４には他の実施例の検出手段５０の具体的な回路構成が示されている。この他の実施例の検出手段５０はフライバックトランスＦＤの２次側から発生される高圧信号の変動分を検出する検出部５２と、前記検出された高圧変動信号を反転出力する反転増幅部５４と、前記フライバックトランスの２次側から発生される高圧信号の直流分をバッファリングする入力バッファ部５６と、前記入力バッファ部５６でバッファリングされた高圧信号の直流分と前記反転増幅部５４で反転された変動分を加算しその加算された信号の直流レベルを調整して加算手段４６に供給する出力レベル調整部５８とを含む。
【００１５】
検出部５２はフライバックトランスの２次側から提供される高圧信号を入力されてキャパシタＣ１及び抵抗Ｒ１から構成された微分回路を通して高圧変動分を検出する。検出部では信号が微分されて入力波形の傾きである高圧変動分を検出するのに微分時定数は信号波形の最小傾きより十分に小さくて入力信号傾きを充実に従うように回路定数値が決められる。
【００１６】
反転増幅部５４はトランジスタＱ１と抵抗Ｒ２〜Ｒ４、キャパシタＣ２、Ｃ３から構成され、前記検出部５２で検出された微分波形を反転させて出力する。
入力バッファ部５６はトランジスタＱ２、抵抗Ｒ５〜Ｒ７、キャパシタＣ４から構成されてフライバックトランスの２次側から提供される高圧信号を所定のレベルにダウンさせてからそのダウンされた信号を出力する。
【００１７】
出力レベル調整部５８はトランジスタＱ３、抵抗Ｒ８〜Ｒ１２、キャパシタＣ５から構成され、前記反転増幅部５４の出力と前記入力バッファ部５６の出力を加算し、その加算された信号を所定のレベルにダウンさせて加算手段４６に出力する。
【００１８】
【発明の効果】
以上述べたように、本発明では画面の明るさに応じて高圧が変動され画面の縦線が曲がることを補償するために高圧変動を検出して高圧が変動される方向と逆方向に補正信号を生成して水平振幅が減るとか或いは増えることが防止できてより厳しい制御が求められるセミワイド画面テレビジョン受信機において画面を安定化させ得る。
【００１９】
本発明を特定の好ましい実施例に関連して説明したが、本発明はそれに限定されることでなく、本発明の精神や分野を離脱しない限度内で多様に改造且つ変化できるということは通常の知識を有する当業者なら容易に分かることができる。
【図面の簡単な説明】
【図１】本発明によるセミワイド画面テレビジョン受信機の望ましい一実施例の回路構成を示した図である。
【図２】（ａ）は水平走査信号の補償前の波形を示した図であり、（ｂ）は水平走査信号の補償後の波形を示した図である。
【図３】本発明によるセミワイド画面テレビジョン受信機の望ましい他の実施例の回路構成を示した図である。
【図４】図４の検出手段の具体的な実施例の回路構成を示した図である。
【図５】一般的なテレビジョン受信機の回路構成を示した図である。
【図６】テレビジョン受信機の画面の明るさに応ずる高圧変動による縦線曲がりを示した図である。
【図７】縦線の曲がりの発生原理を説明するための図である。
【符号の説明】
３０  映像信号処理部
３２  陰極線管駆動部
３４  陰極線管
３６  水平駆動部
３８  水平出力部
４０  東西信号増幅器
４２  高圧回路部
４４，５０  検出手段
４６  加算手段
５２  検出部
５４  反転増幅部
５６  入力バッファ部
５８  出力レベル調整部
【図１】
0003828992.tif 000002
【図２】
0003828992.tif 000003
【図３】
0003828992.tif 000004
【図４】
0003828992.tif 000005
【図５】
0003828992.tif 000006
【図６】
0003828992.tif 000007
【図７】
0003828992.tif 000008